【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
複数のイメージデータの印刷出力を管理する印刷管理装置であって、
印刷すべき複数のイメージデータの印刷媒体種，印刷サイズ，インク種のうち少なくとも一つを含む印刷条件を記憶する印刷条件記憶手段と、
該記憶した印刷条件に基づいて前記複数のイメージデータの印刷順序を決定する印刷順序決定手段と、
を備える印刷管理装置。
【請求項２】
請求項１記載の印刷管理装置であって、
前記印刷条件は、印刷媒体種を含み、
前記印刷順序決定手段は、前記印刷媒体種に基づいて前記印刷順序を決定する手段である
印刷管理装置。
【請求項３】
前記印刷順序決定手段は、印刷量の多い印刷媒体種を優先して前記印刷順序を決定する手段である請求項２記載の印刷管理装置。
【請求項４】
請求項２または３記載の印刷管理装置であって、
前記印刷条件は、印刷期限を含み、
前記印刷順序決定手段は、前記印刷期限が所定期間内の印刷条件のイメージデータを印刷媒体種に基づく印刷順序に優先して前記印刷順序を決定する手段である
印刷管理装置。
【請求項５】
請求項１ないし４いずれか記載の印刷管理装置であって、
前記イメージデータの印刷に要する消耗品の在庫情報を記憶する在庫情報記憶手段を備え、
前記印刷順序決定手段は、前記在庫情報記憶手段に記憶された消耗品の在庫情報に基づいて前記印刷順序を決定する手段である
印刷管理装置。
【請求項６】
前記印刷順序決定手段は、前記消耗品の在庫情報に基づいて印刷可能量を演算し、該演算した印刷可能量の範囲内で前記印刷順序を決定する手段である請求項５記載の印刷管理装置。
【請求項７】
前記消耗品の在庫情報は、印刷媒体の在庫および／またはインクの在庫を含む情報である請求項５または６記載の印刷管理装置。
【請求項８】
請求項１ないし７いずれか記載の印刷管理装置であって、
前記イメージデータを印刷するプリンタの印刷可能条件を入力する印刷可能条件入力手段を備え、
前記印刷順序決定手段は、前記印刷可能条件入力手段により入力した印刷可能条件に基づいて前記印刷順序を決定する手段である
印刷管理装置。
【請求項９】
請求項８記載の印刷管理装置であって、
前記印刷可能条件は、前記プリンタにセットされている印刷媒体種および／またはインク種を含み、
前記印刷順序決定手段は、前記プリンタにセットされている印刷媒体種および／またはインク種を印刷条件に含むイメージデータを優先して印刷順序を決定する手段である
印刷管理装置。
【請求項１０】
前記印刷順序決定手段は、複数のプリンタを用いて前記複数のイメージデータを印刷する際の該複数のプリンタ毎の印刷順序を決定する手段である請求項１ないし９いずれか記載の印刷管理装置。
【請求項１１】
前記印刷順序決定手段により決定された印刷順序を出力する印刷順序出力手段を備える請求項１ないし１０いずれか記載の印刷管理装置。
【請求項１２】
前記印刷順序決定手段は、所定のタイミングで前記印刷順序を決定する手段である請求項１ないし１１いずれか記載の印刷管理装置。
【請求項１３】
複数のイメージデータの印刷出力を管理する印刷管理装置であって、
印刷すべき複数のイメージデータの印刷媒体種，印刷サイズ，インク種のうち少なくとも一つを含む印刷条件を記憶する印刷条件記憶手段と、
該印刷条件記憶手段に記憶した複数の印刷条件のうち所定条件を満たす印刷条件を検索する検索手段と、
該検索手段により前記所定条件を満たす印刷条件が検索されたとき、所定の出力を行なう出力手段と、
を備える印刷管理装置。
【請求項１４】
請求項１３記載の印刷管理装置であって、
前記印刷条件は、印刷媒体種を含み、
前記所定条件は、同一の印刷媒体種が所定数以上である
印刷管理装置。
【請求項１５】
請求項１３または１４記載の印刷管理装置であって、
前記印刷条件は、印刷期限を含み、
前記所定条件は、印刷期限が所定期間である
印刷管理装置。
【請求項１６】
前記所定の出力は、前記所定条件と前記検索された印刷条件の少なくとも一部の表示出力である請求項１３ないし１５いずれか記載の印刷管理装置。
【請求項１７】
前記検索手段により検索された印刷条件に対応するイメージデータが優先して印刷されるよう印刷順位を変更可能な印刷順序変更手段を備える請求項１３ないし１６いずれか記載の印刷管理装置。
【請求項１８】
コンピュータを請求項１ないし１７いずれか記載の印刷管理用装置として機能させる印刷管理用プログラム。
【請求項１９】
複数のイメージデータをプリンタで印刷出力する際の印刷順序を管理する印刷管理方法であって、
（ａ）印刷すべき複数のイメージデータの印刷媒体種，印刷サイズ，インク種のうち少なくとも一つを含む印刷条件を入力し、
（ｂ）該入力した印刷条件に基づいて前記複数のイメージデータの印刷順序を決定し、
（ｃ）該決定した印刷順序で前記プリンタに印刷指示する
印刷管理方法。
【請求項２０】
請求項１９記載の印刷管理方法であって、
前記ステップ（ａ）は、印刷媒体種を前記印刷条件の一つとして入力するステップであり、
前記ステップ（ｂ）は、前記印刷媒体種に基づいて前記印刷順序を決定するステップである
印刷管理方法。
【請求項２１】
前記ステップ（ｂ）は、印刷量の多い印刷媒体種を優先して前記印刷順序を決定するステップである請求項２０記載の印刷管理方法。
【請求項２２】
請求項２０または２１記載の印刷管理方法であって、
前記ステップ（ａ）は、印刷期限を前記印刷条件の一つとして入力するステップであり、
前記ステップ（ｂ）は、前記印刷期限が所定期間内の印刷条件のイメージデータを印刷媒体種に基づく印刷順序に優先して前記印刷順序を決定するステップである
印刷管理方法。
【請求項２３】
請求項１９ないし２２いずれか記載の印刷管理方法であって、
前記イメージデータの印刷に要する消耗品の在庫情報を入力する在庫情報入力ステップを前記ステップ（ｂ）の前に含み、
前記ステップ（ｂ）は、前記入力された消耗品の在庫情報に基づいて前記印刷順序を決定するステップである
印刷管理方法。
【請求項２４】
前記ステップ（ｂ）は、前記消耗品の在庫情報に基づいて印刷可能量を演算し、該演算した印刷可能量の範囲内で前記印刷順序を決定するステップである請求項２３記載の印刷管理方法。
【請求項２５】
前記消耗品の在庫情報を入力するステップは、印刷媒体の在庫，インクの在庫の少なくとも一方を消耗品の在庫情報として入力するステップである請求項２３または２４記載の印刷管理方法。
【請求項２６】
請求項１９ないし２５いずれか記載の印刷管理方法であって、
前記プリンタの印刷可能条件を入力するステップを前記ステップ（ｂ）の前に含み、
前記ステップ（ｂ）は、前記入力した印刷可能条件に基づいて前記印刷順序を決定するステップである
印刷管理方法。
【請求項２７】
請求項２６記載の印刷管理方法であって、
前記印刷可能条件を入力するステップは、前記プリンタにセットされている印刷媒体種および／またはインク種を印刷可能条件の一つとして入力するステップであり、
前記ステップ（ｂ）は、前記入力された印刷可能条件の一つとしての印刷媒体種および／またはインク種を印刷条件に含むイメージデータを優先して印刷順序を決定するステップである
印刷管理方法。
【請求項２８】
前記ステップ（ｂ）は、複数のプリンタを用いて前記複数のイメージデータを印刷する際の該複数のプリンタ毎の印刷順序を決定するステップである請求項１８ないし２７いずれか記載の印刷管理方法。
【請求項２９】
前記ステップ（ｂ）は、所定のタイミングで前記印刷順序を決定するステップである請求項１９ないし２８いずれか記載の印刷管理方法。
【請求項３０】
複数のイメージデータの印刷出力を管理する印刷管理方法であって、
（ａ）印刷すべき複数のイメージデータの印刷媒体種，印刷サイズ，インク種のうち少なくとも一つを含む印刷条件を記憶し、
（ｂ）該記憶した複数の印刷条件のうち所定条件を満たす印刷条件を検索し、
（ｃ）該検索により前記所定条件を満たす印刷条件が検索されたとき、所定の出力を行なう
印刷管理方法。
【請求項３１】
コンピュータに前記ステップ（ａ）ないし（ｃ）を実行させてなる請求項１９ないし３０いずれか記載の印刷管理方法。